(57)【要約】【課題】生ゴミを含むゴミが入った重量の重いゴミ袋でも容易に投入することができる鳥獣防護用の折畳式ゴミ袋収容器を提供する。【解決手段】ゴミが入ったゴミ袋を収容し鳥獣から保護するための鳥獣防護用の折畳式ゴミ袋収容器１であって、上下方向に伸縮自在な圧縮コイルばね５に網体８を装着してなり、上端側にゴミ袋を投入するための開口部９を有する有底円筒形状の収容器本体２と、収容器本体２における開口部９を開閉する蓋体３と、収容器本体２の径方向一側で上下方向に離れた一の箇所と他の箇所とを引き寄せ状態に維持する係止具４とを備えるものとする。【選択図】図２
2019135194.tif 000002
【特許請求の範囲】
【請求項１】
ゴミが入ったゴミ袋を収容し鳥獣から保護するための鳥獣防護用の折畳式ゴミ袋収容器であって、
上下方向に伸縮自在な圧縮コイルばねに網体を装着してなり、上端側に前記ゴミ袋を投入するための開口部を有する有底円筒形状の収容器本体と、
前記収容器本体における前記開口部を開閉する蓋体と、
前記収容器本体の径方向一側で上下方向に離れた一の箇所と他の箇所とを引き寄せ状態に維持する係止具とを備えることを特徴とする鳥獣防護用の折畳式ゴミ袋収容器。
【請求項２】
前記係止具を、前記収容器本体の径方向両側に設けることを特徴とする請求項１に記載の鳥獣防護用の折畳式ゴミ袋収容器。
【請求項３】
前記蓋体の上面に、光りを反射する光反射部材を貼着することを特徴とする請求項１または２に記載の鳥獣防護用の折畳式ゴミ袋収容器。
【発明の詳細な説明】
【技術分野】
【０００１】
本発明は、例えば家庭等で発生した生ゴミを含むゴミを、ゴミ袋に入れた状態でゴミ収集場所に置く際に使用する鳥獣防護用の折畳式ゴミ袋収容器に関するものである。
【背景技術】
【０００２】
一般的に、家庭等で発生した生ゴミを含むゴミは、ゴミ袋に入れてゴミ収集日の収集時間までに予め指定されたゴミ収集場所に置いておけば、ゴミ収集業者によって回収される。集合住宅の場合には、敷地内の適当なスペースに集積所や集積容器が設置されていることが多く、戸建て住宅や商店のような場合には、街路の適当な場所がゴミ収集場所として指定されている。
【０００３】
生ゴミが入ったゴミ袋をゴミ収集場所に放置すると、生ゴミの存在を察知した鳥獣、例えば、カラスや犬猫が集まり、ゴミ袋をつついたり咬んだりして破り、内部の生ゴミを取り出して食することになる。このため、鳥獣がゴミ袋内のゴミを周囲に撒き散らしてゴミ収集場所を汚損するという事態が発生する。
【０００４】
このような事態の発生を防ぐために、ゴミが入ったゴミ袋を鳥獣がつついたり咬んだりすることができないように収容する折畳式のゴミ箱が例えば特許文献１にて提案されている。
【０００５】
特許文献１に係るゴミ箱は、保持枠体と、網袋とで構成されている。ここで、保持枠体は、一対の折畳枠杆を備え、各折畳枠杆における左右の側脚杆の中間部が互いに枢着されており、前後方向に折畳・展開可能な構造とされている。また、網袋は、前後方向に展開された状態の保持枠体内に入る大きさで上向きに開口された開口部を有する箱型形状の容器網部と、容器網部の開口部を開閉する蓋網部とにより構成されている。
【先行技術文献】
【特許文献】
【０００６】
【特許文献１】実用新案登録第３１４３２０２号公報
【発明の概要】
【発明が解決しようとする課題】
【０００７】
上記の特許文献１に係るゴミ箱では、容器網部の開口部が上向きに開口されているため、ゴミが入ったゴミ袋を容器網部の中に投入する際に、容器網部の開口部の上方まで持ち上げなければならず、特に生ゴミを含むゴミが入った重量の重いゴミ袋を容器網部の中に投入し難いという問題点がある。
【０００８】
本発明は、前述のような問題点に鑑みてなされたもので、生ゴミを含むゴミが入った重量の重いゴミ袋でも容易に投入することができる鳥獣防護用の折畳式ゴミ袋収容器を提供することを目的とするものである。
【課題を解決するための手段】
【０００９】
前記目的を達成するために、本発明による鳥獣防護用の折畳式ゴミ袋収容器は、
ゴミが入ったゴミ袋を収容し鳥獣から保護するための鳥獣防護用の折畳式ゴミ袋収容器であって、
上下方向に伸縮自在な圧縮コイルばねに網体を装着してなり、上端側に前記ゴミ袋を投入するための開口部を有する有底円筒形状の収容器本体と、
前記収容器本体における前記開口部を開閉する蓋体と、
前記収容器本体の径方向一側で上下方向に離れた一の箇所と他の箇所とを引き寄せ状態に維持する係止具とを備えることを特徴とするものである（第１発明）。
【００１０】
本発明において、前記係止具を、前記収容器本体の径方向両側に設けるのが好ましい（第２発明）。
【００１１】
本発明において、前記蓋体の上面に、光りを反射する光反射部材を貼着するのが好ましい（第３発明）。
【発明の効果】
【００１２】
本発明の鳥獣防護用の折畳式ゴミ袋収容器によれば、収容器本体の径方向一側で上下方向に離れた一の箇所と他の箇所とを引き寄せてその引き寄せ状態が係止具によって保持されると、収容器本体が横方向に屈曲した状態に保たれ、収容器本体におけるゴミ袋を投入するための開口部が斜め上方向あるいは略横方向に向けられた状態に保たれるので、生ゴミを含むゴミが入った重量の重いゴミ袋でも容易に投入することができる。
【００１３】
また、第２発明の構成を採用することにより、収容器本体の径方向両側において、収容器本体の上下方向に離れた一の箇所と他の箇所とを引き寄せてその引き寄せ状態が係止具によって保持されると、収容器本体の高さを自然長よりも低い状態に保つことができ、ゴミ袋を高く持ち上げなくても収容器本体内にゴミ袋を容易に投入することができる。また、ゴミ袋の量に応じて収容器本体の高さを調整することができる。
【００１４】
また、第３発明の構成を採用することにより、上空や高い所からゴミ袋内の食肉等を狙っている特にカラスに対し、光り反射部材で反射させた光によって脅かしたり、ごみ袋内の食肉等を識別できないようにして迷わせたりすることができ、カラスによる被害を効果的に防ぐことができる。
【図面の簡単な説明】
【００１５】
【図１】本発明の一実施形態に係る鳥獣防護用の折畳式ゴミ袋収容器を示し、（ａ）は前方から見た全体斜視図、（ｂ）は後方から見た全体斜視図である。
【図２】同鳥獣防護用の折畳式ゴミ袋収容器を蓋体が開いた状態で示す全体斜視図である。
【図３】同鳥獣防護用の折畳式ゴミ袋収容器を扁平に折り畳んだ状態で示す全体斜視図である。
【図４】図１（ｂ）のＡ部拡大図である。
【図５】係止具における係合子が掛け輪に掛け止められている状態図である。
【図６】同鳥獣防護用の折畳式ゴミ袋収容器を横方向に屈曲させた状態図である。
【図７】同鳥獣防護用の折畳式ゴミ袋収容器の高さ調整の説明図である。
【発明を実施するための形態】
【００１６】
次に、本発明による鳥獣防護用の折畳式ゴミ袋収容器の具体的な実施の形態について、図面を参照しつつ説明する。
【００１７】
＜鳥獣防護用の折畳式ゴミ袋収容器の概略説明＞
図１（ａ）および（ｂ）に示される鳥獣防護用の折畳式ゴミ袋収容器（以下、「ゴミ袋収容器」と略称する。）１は、例えば家庭等で発生した生ゴミを含むゴミを、ゴミ袋に入れた状態でゴミ収集場所に置く際に使用するものであって、収容器本体２と、蓋体３と、係止具４とを備え、ゴミが入ったゴミ袋を収容し鳥獣から保護する役目をする。なお、以下の説明において、特に断りが無い限り、「ゴミ袋」とは、生ゴミを含むゴミが入った状態のゴミ袋のことを示すものとする。
【００１８】
＜収容器本体の説明＞
図２に示されるように、収容器本体２は、上下方向に伸縮自在な圧縮コイルばね５を被覆布６で包んでなる骨格体７に、圧縮コイルばね５が自然長であるときの骨格体７の形状に合わせて下端側および周面側を塞ぐように網体８を縫着してなるものであって、上端側にゴミ袋を投入するための開口部９を有する有底円筒形状に形成され、圧縮コイルばね５の弾性によって高さ方向に伸縮自在とされている。ここで、網体８は、柔軟性に富む例えば合成繊維からなる糸などを用いて格子状に結びつけて編み込まれたものであり、収容器本体２内の内容物を容易に確認することができるとともに、通気性を確保することができる（後述する網体１２についても同様）。また、収容器本体２の上側周縁部における蓋体３の開閉操作時に邪魔にならない適当な位置には、布材からなる取っ手１０（図１（ｂ）参照）が縫着されており、取っ手１０を利用してゴミ袋収容器１を容易に持ち運ぶことができる。
【００１９】
＜蓋体の説明＞
蓋体３は、金属線材を円環状に形成してなるリング材を被覆布で包んでなる円環枠体１１に、網体１２を縫合により張設してなるものであって、収容器本体２における開口部９を塞ぐことができる大きさに形成されている。蓋体３の外周部における所定部位と収容器本体２の上側周縁部とは、折返し布片１３を介して縫着され、この縫着部分を支点として収容器本体２の開口部９に対し蓋体３を開閉することができるようになっている。
【００２０】
蓋体３の外周部には、折返し布片１３と対向するような位置に面ファスナーの雄係合片１５が縫着され、この雄係合片１５と係合する雌係合片１６が、収容器本体２の上端部に取り付けられ、雄係合片１５が雌係合片１６を介して収容器本体２の上端部に着脱自在に係着することができるようになっている。
【００２１】
図１（ａ）および（ｂ）に示されるように、蓋体３の上面には、光りを反射する光反射部材１７が貼り付けられている。光反射部材１７は、シート材の表面にアルミニウム膜を被覆してなるものである。こうして、上空からゴミ袋内の食肉等を狙っている特にカラスに対し、光り反射部材１７で反射させた光によって脅かしたり、ごみ袋内の食肉等を識別できないようにして迷わせたりすることができ、カラスによる被害を効果的に防ぐことができる。なお、光反射部材１７の上面の所定位置には、名札１８が貼り付けらており、ゴミ袋収容器１の所有者の氏名または名称を表記することができるようになっている。
【００２２】
＜係止具の説明＞
係止具４は、主に、棒状の係合子２０、複数（本例では３個）の掛け輪２１，２２，２３および係合子２０を吊り下げ支持する取付け輪２４により構成されており、収容器本体２の径方向両側にそれぞれ設けられている。
【００２３】
図４に示されるように、係合子２０は、長手方向中間部が相対的に太く両端側に向って次第に細くなるような細長い樽形に形成されている。係合子２０の長手方向中間部には、長手方向に間隔をあけて長手方向と直交する方向に貫通する一対の挿通孔２５が穿設されている。取付け輪２４は、係合子２０における一対の挿通孔２５の一方の挿通孔２５に紐の一端を通した後に折り返し他方の挿通孔２５に通し、紐の両端部を揃えて収容器本体２の上側周縁部に縫着して輪状に形成してなるものである。
【００２４】
図２に示されるように、係止具４における３個の掛け輪２１，２２，２３のそれぞれは、紐の一端を他端へと折り返し両端部を収容器本体２に縫着して輪状に形成してなるものである。３個の掛け輪のうち、１個目（上段）の掛け輪２１は、取付け輪２４の下方に所定間隔をあけて収容器本体２の周面に取り付けられ、２個目（中段）の掛け輪２２は、１個目の掛け輪２１の下方に所定間隔をあけて収容器本体２の周面に取り付けられ、３個目（下段）の掛け輪２３は、収容器本体２の下側周縁部に取り付けられている。これら３個の掛け輪２１，２２，２３は、収容器本体２の周面（側面）の母線上に一列に配置されている。
【００２５】
＜ゴミ袋収容器の折畳動作説明＞
以上に述べたように構成されるゴミ袋収容器１においては、図１（ａ）および（ｂ）に示されるような自然長に伸長した状態の当該容器１を上方から手で押すと、圧縮コイルばね５が内設された骨格体７が収縮されると同時に、骨格体７の周面側を塞ぐ網体８がその骨格体７の収縮動作に合わせて撓み、当該容器１全体が図３に示されるように扁平に折り畳まれる。この扁平に折り畳まれた状態において、収容器本体２の径方向両側に設けられた一対の係止具４におけるそれぞれの係合子２０を下段の掛け輪２３に図５に示されるように係合させて掛け止める。これにより、ゴミ袋収容器１の扁平に折り畳まれた状態が一対の係止具４によって維持される。
【００２６】
＜ゴミ袋収容器の伸長動作説明＞
ゴミ袋収容器１の図３に示される折畳状態において、当該容器１を上方から手で押えながら、収容器本体２の径方向両側に設けられた一対の係止具４のうち、一方の係止具４の係合子２０を下段の掛け輪２３から外して係合を解除するとともに、他方の係止具４（図３において図示省略）の係合子２０を下段の掛け輪２３から外して係合を解除し、当該容器１を押えていた手を離す。これにより、骨格体７内に内設されている圧縮コイルばね５の弾性によって、骨格体７が伸長すると同時に、骨格体７の周面側を塞ぐ網体８がその骨格体７の伸長動作に合わせてぴんと張り、当該容器１全体が上方に真っ直ぐに伸長して図１（ａ）および（ｂ）に示されるように使用可能な状態とされる。
【００２７】
図１（ａ）および（ｂ）に示されるように、ゴミ袋収容器１が上方に真っ直ぐに伸長した状態でゴミ袋を当該容器１内に投入する場合には、まず、面ファスナーの雄雌両係合片１５，１６の係合を解除した後、図２に示されるように、収容器本体２の開口部９に対し蓋体３を開き、ゴミ袋を開口部９の上方まで持ち上げ、その後、ゴミ袋を持ち上げている手を離すことになる。しかし、この場合、特に生ゴミを含むゴミが入った重量の重いゴミ袋を収容器本体２の開口部９の上方に持ち上げるのは大変で、重量の重いゴミ袋を収容器本体２内に投入し難い。
【００２８】
＜ゴミ袋収容器の屈曲動作説明＞
そこで、収容器本体２の径方向両側に設けられている一対の係止具４のうち、一方の係止具４が設けられている収容器本体２の一方側において、取付け輪２４が取り付けられている部分（一の箇所）と、上段、中段または下段の掛け輪２１，２２，２３が取り付けられている部分（他の箇所）とを引き寄せる。次いで、図５に示されるように、係合子２０を上段、中段または下段の掛け輪２１，２２，２３に係合させて掛け止める。これにより、収容器本体２の上下方向に離れた一の箇所と他の箇所とを引き寄せた状態が係止具４によって維持され、収容器本体２が横方向に屈曲した状態に保たれることになる。
【００２９】
例えば、図６に示されるように、一方の係止具４の係合子２０を下段の掛け輪２３に係合させて掛け止めた場合には、収容器本体２の開口部９（図２参照）が略横方向に向けられた状態に保たれる。この状態において、面ファスナーの雄雌両係合片１５，１６の係合を解除した後、収容器本体２の開口部９に対し蓋体３を開き、略横方向に向けられた状態の開口部９を通して収容器本体２内にゴミ袋を投げ入れる。その後、収容器本体２の開口部９に対し蓋体３を閉め、面ファスナーの雄雌両係合片１５，１６を係合して係着する。なお、一方の係止具４の係合子２０を上段または中段の掛け輪２１，２２に係合させて掛け止めた場合には、収容器本体２の開口部９が斜め上方向に向けられた状態に保たれるのは言うまでもない。
【００３０】
＜ゴミ袋収容器の高さ調整動作説明＞
また、図７（ａ）〜（ｃ）に示されるように、収容器本体２の両側において、取付け輪２４が取り付けられている部分（一の箇所）と、上段または中段の掛け輪２１，２２が取り付けられている部分（他の箇所）とを引き寄せ、一対の係止具４のそれぞれの係合子２０を上段または中段の掛け輪２１，２２に係合させて掛け止める。これにより、収容器本体２の高さが図７（ａ）に示される自然長よりも図７（ｂ）および（ｃ）に示されるように２段階で低い状態に保たれることになる。そして、上記と同様に、面ファスナーの雄雌両係合片１５，１６の係合を解除した後、収容器本体２の開口部９に対し蓋体３を開き、高さが低められた収容器本体２の開口部９の上方までゴミ袋を持ち上げ、その後、ゴミ袋を持っている手を離せばゴミ袋を収容器本体２内に投入することができる。こうして、収容器本体２内にゴミ袋を投入した後は、上記と同様に、収容器本体２の開口部９に対し蓋体３を閉め、面ファスナーの雄雌両係合片１５，１６を係合して係着する。
【００３１】
＜作用効果の説明＞
本実施形態のゴミ袋収容器１によれば、収容器本体２の径方向一側で上下方向に離れた一の箇所と他の箇所とを引き寄せてその引き寄せ状態が係止具４によって維持されると、収容器本体２が横方向に屈曲した状態に保たれ、収容器本体２におけるゴミ袋を投入するための開口部９が斜め上方向あるいは略横方向に向けられた状態に保たれるので、生ゴミを含むゴミが入った重量の重いゴミ袋でも容易に投入することができる。
【００３２】
また、収容器本体２の径方向両側において、収容器本体２の上下方向に離れた一の箇所と他の箇所とを引き寄せてその引き寄せ状態が係止具４によって維持されると、収容器本体２の高さを自然長よりも低い状態に保つことができ、ゴミ袋を高く持ち上げなくても収容器本体２内にゴミ袋を投入することができる。また、ゴミ袋の量に応じて収容器本体２の高さを調整することができる。
【００３３】
以上、本発明の鳥獣防護用の折畳式ゴミ袋収容器について、一実施形態に基づいて説明したが、本発明は上記実施形態に記載した構成に限定されるものではなく、その趣旨を逸脱しない範囲において適宜その構成を変更することができるものである。
【００３４】
例えば、上記の実施形態では、光りを反射する光反射部材１７を蓋体３の上面にのみ貼着する例を示したが、光反射部材１７と同様の光り反射部材を収容器本体２の周面に貼着しても良い。
【００３５】
また、例えば柱等の固定構造部（図示省略）と取っ手１０との間にチェーン等を掛けるようにすれば、ゴミ袋収容器１の盗難を未然に防ぐことができる。
【００３６】
上記の実施形態においては、係止具４として、係合子２０、掛け輪２１，２２，２３および取付け輪２４からなるものを用いる例を示したが、これに限定されるものではなく、雄型ホックと雌型ホックとからなるアメリカンホックと称されるものや、雄係合片と雌係合片とからなる面ファスナーを係止具として用いることも可能である。
【産業上の利用可能性】
【００３７】
本発明の鳥獣防護用の折畳式ゴミ袋収容器は、生ゴミを含むゴミが入った重量の重いゴミ袋でも容易に投入することができるという特性を有していることから、例えば家庭等で発生した生ゴミを含むゴミを、ゴミ袋に入れた状態でゴミ収集場所に置く際に、ゴミ袋を収容し鳥獣から保護する用途に好適に用いることができ、産業上の利用可能性が大である。
【符号の説明】
【００３８】
１    鳥獣防護用の折畳式ゴミ袋収容器
２    収容器本体
３    蓋体
４    係止具
５    圧縮コイルばね
６    被覆布
７    骨格体
８    網体
９    開口部
１０  取っ手
１７  光反射部材
１８  名札
２０  係合子
２１  上段の掛け輪
２２  中段の掛け輪
２３  下段の掛け輪
２４  取付け輪
【図１】
2019135194.tif 000003
【図２】
2019135194.tif 000004
【図３】
2019135194.tif 000005
【図４】
2019135194.tif 000006
【図５】
2019135194.tif 000007
【図６】
2019135194.tif 000008
【図７】
2019135194.tif 000009